(57)【要約】【課題】光触媒フィルタに対して通風時に効率良く安定的に光を照射することのできる吸気システムを提供する。【解決手段】屋外と屋内とを連通する吸気風路２に、光触媒フィルタ５と、吸気風路２における屋外側から屋内側への通風により発電する風力発電部６と、風力発電部６からの給電により光触媒フィルタ５に光を照射する光源７と、が配設されている。【選択図】図１
2019173991.tif 000002
【特許請求の範囲】
【請求項１】
屋外と屋内とを連通する吸気風路に、光触媒フィルタと、前記吸気風路における屋外側から屋内側への通風により発電する風力発電部と、該風力発電部からの給電により前記光触媒フィルタに光を照射する光源と、が配設されている吸気システム。
【請求項２】
前記光触媒フィルタと前記光源と前記風力発電部は、前記吸気風路に対して屋内側に露出する状態で脱着自在に設けられる屋内側ユニットに組付けられている請求項１記載の吸気システム。
【請求項３】
前記光触媒フィルタと前記光源と前記風力発電部は、この順番で前記吸気風路の屋内側から屋外側に配設される状態で前記屋内側ユニットに組付けられている請求項２記載の吸気システム。
【請求項４】
前記屋内側ユニットの屋内側部位には、前記光源の光を屋内側に漏洩させる光漏洩部が設けられている請求項２又は３記載の吸気システム。
【請求項５】
前記屋内側ユニットには、前記風力発電部が組付けられている第１本体ユニットと、前記光触媒フィルタ及び前記光源が組付けられている第２本体ユニットと、前記吸気風路に対して屋内側から脱着自在に設けられる第３本体ユニットと、が備えられ、前記第３本体ユニットには、前記第１本体ユニットと前記第２本体ユニットが脱着自在に組付けられている請求項２〜４のいずれか１項に記載の吸気システム。
【請求項６】
前記光源がＬＥＤ光源であり、該ＬＥＤ光源は、前記光触媒フィルタのフィルタ面に対して斜めに配置されている請求項１〜５のいずれか１項に記載の吸気システム。
【発明の詳細な説明】
【技術分野】
【０００１】
本発明は、屋外と屋内とを連通する吸気風路から吸気される空気を清浄化する吸気システムに関する。
【背景技術】
【０００２】
上述の吸気システムとして、例えば、特許文献１で開示されている換気装置が存在する。この換気装置は、建物の外壁に貫通形成されている換気通路（吸気風路の一例）の換気口に臨む状態で外壁の外側面に固定されている。換気装置は、外壁の外側面に取付けられる取付け部材に、活性炭と光触媒である酸化チタンとを含む光触媒フィルタと、光触媒フィルタの外面側を覆う状態で雨水の浸入を防止する複数の羽板を備えたガラリと、ガラリの外面側の上半部を覆う状態で雨水の浸入を防止するフードと、を有する。ガラリの羽根は、その表面が鏡面に形成され、羽根の表面で反射された太陽光の反射光が光触媒フィルタに照射されるように構成されている。フードは、略全面に渡って太陽光が透過する透明部を有する。
【０００３】
そして、フードを透過し、ガラリの羽根で反射された太陽光の反射光が光触媒フィルタに照射されると、光触媒である酸化チタンが光励起反応を起こし、光触媒フィルタに吸着されている汚れや臭い、細菌等の有害物質が酸化分解される。最終的には、有害物質は無害な炭酸ガスと水に分解されて発散され、光触媒フィルタに付着した有害物質が除去される。
【先行技術文献】
【特許文献】
【０００４】
【特許文献１】特開２０００−１２１１１３号公報
【発明の概要】
【発明が解決しようとする課題】
【０００５】
従来では、建物の外壁の外側面に換気装置が取付けられているため、換気装置のフード及びガラリの羽板に汚れが付着し易く、この汚れの付着に伴ってフードの光透過率が低下するとともに、羽板の反射光量が低下する。これにより、光触媒フィルタに対する太陽光の照射光量の低下や照射光分布のばらつきを招き、酸化チタンの光励起反応による有害物質の酸化分解作用が低下する。また、光触媒フィルタに太陽光を照射するため、雨天時や夜間では酸化チタンの光励起反応が低下又は停止状態となり、有害物質の除去時間が制限される不都合がある。
【０００６】
この実情に鑑み、本発明の主たる課題は、光触媒フィルタに対して通風時に効率良く安定的に光を照射することのできる吸気システムを提供する点にある。
【課題を解決するための手段】
【０００７】
本発明の第１特徴構成は、屋外と屋内とを連通する吸気風路に、光触媒フィルタと、前記吸気風路における屋外側から屋内側への通風により発電する風力発電部と、該風力発電部からの給電により前記光触媒フィルタに光を照射する光源と、が配設されている点にある。
【０００８】
上記構成によれば、吸気風路に配設した光触媒フィルタにより、屋外側から吸気風路を経由して屋内側に吸気される空気中の汚れや臭い、細菌等の有害物質を付着除去することができる。この光触媒フィルタに対して光源から光が照射されると、光触媒フィルタに含まれる光触媒が光励起反応を起こし、光触媒フィルタに付着している有害物質が酸化分解される。最終的には、有害物質は無害な炭酸ガスと水に分解されて発散され、光触媒フィルタに付着した有害物質が除去される。
しかも、光源は、吸気風路内での通風によって発電する風力発電部からの給電によって発光するので、通風時には、光触媒フィルタに対して光源から光が照射される。これにより、光触媒フィルタに有害物質が最も付着し易い通風時に光が照射され、且つ、昼夜に関係なく通風を利用して光触媒フィルタに光を安定的に照射することができる。
したがって、光触媒フィルタに付着した有害物質を効率良く除去することができるので、屋内に有害物質が除去された清浄空気を安定的に供給することができる。
【０００９】
本発明の第２特徴構成は、前記光触媒フィルタと前記光源と前記風力発電部は、前記吸気風路に対して屋内側に露出する状態で脱着自在に設けられる屋内側ユニットに組付けられている点にある。
【００１０】
上記構成によれば、吸気風路に配設される光触媒フィルタと光源と風力発電部が組付けられている屋内側ユニットは、吸気風路から屋内側に取り出すことができ、しかも、屋内側ユニットの一部は屋内側に露出するため、屋内側ユニットの取出し操作も容易に行うことができる。
したがって、光触媒フィルタと光源と風力発電部に対するメンテナンスや交換作業を屋内側において能率良く容易に実施することができる。
【００１１】
本発明の第３特徴構成は、前記光触媒フィルタと前記光源と前記風力発電部は、この順番で前記吸気風路の屋内側から屋外側に配設される状態で前記屋内側ユニットに組付けられている点にある。
【００１２】
上記構成によれば、光源及び風力発電部よりもメンテナンス頻度の高い光触媒フィルタを、吸気風路の最も屋内側に配置することにより、光触媒フィルタに対するメンテナンスを能率良く容易に実施することができる。しかも、光触媒フィルタの屋外側には光源が配設されているので、光触媒フィルタと光源とを適切な配置関係に設定し易く、光触媒フィルタの全体に光を確実に照射することができる。さらに、風路軸芯方向での全長が最も大きな風力発電部は、吸気風路における光源よりも屋外側の空間を利用して容易に配置することができる。
【００１３】
本発明の第４特徴構成は、前記屋内側ユニットの屋内側部位には、前記光源の光を屋内側に漏洩させる光漏洩部が設けられている点にある。
【００１４】
上記構成によれば、屋内側ユニットの屋内側部位に設けた光漏洩部が漏洩光で明るくなっていることの目視により、通風で風力発電部が正常に発電し、その風力発電部からの給電で光源が正常に発光していることを容易に確認することができる。
【００１５】
本発明の第５特徴構成は、前記屋内側ユニットには、前記風力発電部が組付けられている第１本体ユニットと、前記光触媒フィルタ及び前記光源が組付けられている第２本体ユニットと、前記吸気風路に対して屋内側から脱着自在に設けられる第３本体ユニットと、が備えられ、前記第３本体ユニットには、前記第１本体ユニットと前記第２本体ユニットが脱着自在に組付けられている点にある。
【００１６】
上記構成によれば、外筐となる第３本体ユニットに、個別に構成されている第１本体ユニット及び第２本体ユニットを組付けるだけで、屋内側ユニットを容易に構成することができる。また、第３本体ユニットから第１本体ユニット及び第２本体ユニットを取り出すことにより、第１本体ユニットに組付けられている風力発電部、及び、第２本体ユニットに組付けられている光触媒フィルタ及び光源に対するメンテナンスを能率良く容易に実施することができる。
【００１７】
本発明の第６特徴構成は、前記光源がＬＥＤ光源であり、該ＬＥＤ光源は、前記光触媒フィルタのフィルタ面に対して斜めに配置されている点にある。
【００１８】
上記構成によれば、例えば、ＬＥＤ光源を、光触媒フィルタのフィルタ面に対して直交方向に沿う姿勢で配置する場合に比して、少数のＬＥＤ光源で光触媒フィルタのフィルタ面全体を漏れなく照射することができる。
【図面の簡単な説明】
【００１９】
【図１】本発明の吸気システムの構成を示す風路開通時の断面図
【図２】吸気システムの構成を示す風路遮断時の断面図
【図３】光触媒ユニットの断面図
【図４】屋内側ユニットの正面図
【図５】屋内側ユニットの分解断面図
【図６】屋内側ユニットの前部の拡大断面図
【図７】屋内側ユニットの前部の拡大半断斜視図
【発明を実施するための形態】
【００２０】
本発明の実施形態を図面に基づいて説明する。
図１、図２は、マンション等の建物のコンクリート製の外壁１に、屋外と屋内（室内）とを連通する吸気風路２が形成され、この吸気風路２の屋内側に、本発明の吸気システムを備えた屋内側ユニットＡが配置され、吸気風路２の屋外側には、雨水の浸入を防止する屋外側ユニットＢが配置されている。
吸気風路２は、外壁１の風路形成位置に貫通形成されている円形の第１貫通孔１ａと、外壁１の屋内側の壁仕上材３の風路形成位置に貫通形成されている円形の第２貫通孔３ａとにわたって樹脂製の円筒状の吸気スリーブ４を挿入することにより、屋内外に連通する吸気スリーブ４の内部空間をもって構成されている。
尚、図１においては、吸気空気の流れを矢印で示している。
【００２１】
本実施形態では、人が居住あるいは滞在する部屋の高気密化が進んだ建物を対象とするため、２４時間換気が義務付けられている。換気には、第１種換気と第２種換気と第３種換気とがある。第１種換気は、屋外からの吸気と屋内からの排気との両方を換気装置で行う換気である。第２種換気は、屋外からの吸気を換気装置で行い、屋内からの排気を自然排気で行う換気である。第３種換気は、屋外からの吸気は自然吸気で行い、屋内からの排気を換気装置で行う換気である。本実施形態では第３種換気を採用している。
【００２２】
吸気システムは、光触媒フィルタ５と、吸気風路２における屋外側から屋内側への通風により発電する風力発電部６と、該風力発電部６からの給電により光触媒フィルタ５に光を照射する光源７と、を備える。この吸気システムの光触媒フィルタ５と光源７と風力発電部６は、この順番で吸気風路２の屋内側から屋外側に配設されている。さらに、吸気システムの光触媒フィルタ５と光源７と風力発電部６は、吸気風路２に対して屋内側に露出する状態で脱着自在に設けられる屋内側ユニットＡに組付けられている。
【００２３】
光触媒フィルタ５は、活性炭を備えたシート状のフィルタ基材に光触媒を担持させて構成される。光触媒フィルタ５に使用する光触媒材料としては、伝導体と価電子帯との間のエネルギーギャップよりも大きなエネルギーの光が照射された場合に、価電子帯中の電子が励起して伝導電子と正孔を生成しうる物質であれば、特に限定されるものではない。
光触媒材料の具体例としては、例えば、二酸化チタン、酸化亜鉛、酸化鉄、酸化タングステン、ガリウムリン、酸化モリブデン、酸化ルテニウム、酸化ゲルマニウムなどが挙げられる。この中でも可視光域の活性が高い白金ドープ型の酸化タングステンを好適に用いることができる。
【００２４】
吸気風路２に配設した光触媒フィルタ５により、屋外側から吸気風路２を経由して屋内側に吸気される空気中の汚れや臭い、細菌等の有害物質を吸着除去することができる。この光触媒フィルタ５に対して光源７から光が照射されると、光触媒は、価電子帯中の電子が励起して伝導電子と正孔を生成し、伝導電子は空気中の酸素と反応してスーパーオキシドアニオンになる。一方、正孔は空気中の水分と反応してヒドロキシラジカルになる。これらは高い酸化力を有するため、光触媒フィルタ５に吸着している有害物質が酸化分解される。最終的には、有害物質は無害な炭酸ガスと水に分解されて発散され、光触媒フィルタ５に吸着された有害物質が除去される。
【００２５】
光源７としては、光触媒が活性化される光源であればよく、光触媒材料に応じて適宜選択することができる。例えば、光触媒材料が酸化チタンの場合には、紫外線光を照射できる紫外線光源を用いる。紫外線光源としては、例えば、紫外線ＬＥＤ、メタルハライドランプ、水銀ランプ、白熱電球などが挙げられる。また、光触媒材料が白金ドープ型の酸化タングステンの場合には、４００ｎｍ以上の可視光を照射する光源が用いられる。可視光の光源としては、白色ＬＥＤ、蛍光灯、白熱電球などが挙げられる。本実施形態では、発光波長ピークが４００ｎｍ以上であるＬＥＤ光源７が好適に用いられる。
【００２６】
風力発電部６は、図１、図２、図５に示すように、吸気風路２の風路軸線方向に沿う回転軸６１に設けられる複数のブレード６２と、回転軸６１の回動エネルギーを電気エネルギーに変換する発電モーター６３と、を備える。ブレード６２は、吸気風路２内の屋外側に配置され、発電モーター６３は、吸気風路２内の屋内側に配置される。
複数のブレード６２は、吸気風路２における屋外側から屋内側への通風により回転軸６１と一体回転する。発電モーター６３はＬＥＤ光源７の電気回路に電気接続され、発電モーター６３で発電された電気はＬＥＤ光源７の電気回路に供給される。ＬＥＤ光源７は、発電モーター６３からの給電で発光し、光触媒フィルタ５を可視光で照射する。
【００２７】
上述のように、ＬＥＤ光源７は、吸気風路２内での通風によって発電する風力発電部６の発電モーター６３からの給電によって発光するので、通風時には、光触媒フィルタ５に対してＬＥＤ光源７から光が照射される。これにより、光触媒フィルタ５に有害物質が最も付着し易い通風時に光が照射され、且つ、昼夜に関係なく通風を利用して光触媒フィルタ５に光を安定的に照射することができる。
【００２８】
屋内側ユニットＡは、図１、図２、図５に示すように、風力発電部６が組付けられている樹脂製の第１本体ユニット１０と、光触媒フィルタ５及びＬＥＤ光源７が組付けられている樹脂製の第２本体ユニット２０と、吸気風路２を構成する吸気スリーブ４に対して屋内側から脱着自在に設けられる樹脂製の第３本体ユニット３０と、が備えられている。第３本体ユニット３０内には、第２本体ユニット２０が脱着自在に嵌合状態で組付けられている。この第２本体ユニット２０内の屋外側領域には、第１本体ユニット１０が脱着自在に嵌合状態で組付けられ、第２本体ユニット２０内の屋内側領域には、後述の光触媒ユニット４０が脱着自在に嵌合状態で組付けられている。
【００２９】
そして、上述の構成により、外筐となる第３本体ユニット３０に、個別に構成されている第１本体ユニット１０及び第２本体ユニット２０を組付けるだけで、屋内側ユニットＡを容易に構成することができる。また、第３本体ユニット３０から第１本体ユニット１０及び第２本体ユニット２０を取り出すことにより、第１本体ユニット１０に組付けられている風力発電部６、及び、第２本体ユニット２０に組付けられている光触媒ユニット４０の光触媒フィルタ５及びＬＥＤ光源７に対するメンテナンスを能率良く容易に実施することができる。
【００３０】
光触媒フィルタ５及びＬＥＤ光源７は、図３に示すように、一つの光触媒ユニット４０として構成されている。この光触媒ユニット４０のユニットケース４１の屋内側部位には、光触媒フィルタ５が単層又は複数層で配置されている。ユニットケース４１の屋外側の外周部で、且つ、風路軸線を中心線とする円周方向に９０度ずつ変位した四箇所には、光触媒フィルタ５のフィルタ面に対して屋外側から適正な傾斜角度（３０〜７０度）で光を照射するＬＥＤ光源７が配置されている。
【００３１】
上述の構成により、例えば、ＬＥＤ光源７を、光触媒フィルタ５のフィルタ面に対する直交方向（風路軸線方向）に沿う姿勢で配置する場合に比して、少数のＬＥＤ光源７で光触媒フィルタ５のフィルタ面全体を漏れなく照射することができる。
【００３２】
第３本体ユニット３０は、図１、図２、図５に示すように、壁仕上材３の表面３ｂに対して風路軸線方向から当接する鍔部３１Ａを備えた第３ケース３１と、壁仕上材３の表面３ｂから屋内側に突出する後述の第２本体ユニット２０の大径胴部２１Ａの外周囲部及び前部の一部を覆う第３カバー３２と、を備える。第３カバー３２は、風路軸線方向視において四角形状に構成されている。第３カバー３２の前面板部３２Ａの中央には、後述の第２本体ユニット２０の円形状の蓋カバー２２が配置される円形の開口３３が形成されている。この開口３３の内径は、第１本体ユニット１０の最大外径及び第２本体ユニット２０の最大外径よりも大径に構成されている。そのため、第３カバー３２の開口３３を通して第１本体ユニット１０及び第２本体ユニット２０を脱着することができる。第３カバー３２は、第３ケース３１の鍔部３１Ａに対して風路軸線方向から脱着自在に係合連結されている。
【００３３】
第３ケース３１の第３筒胴部３１Ｂは、図１、図２、図５に示すように、吸気スリーブ４の内周面に摺動状態で挿入自在な円筒状に形成されている。第３ケース３１の第３筒胴部３１Ｂにおける先端側（屋外側）の底板部３１Ｃの内面には、第３筒胴部３１Ｂと同芯円状に配置される複数の円環状ガイド板３４が一体的に突出形成されている。第３ケース３１の底板部３１Ｃには多数の第３通気孔３５が貫通形成されている。詳しくは、第３通気孔３５は、最小径の円環状ガイド板３４の内側部位と、径方向で隣接する両円環状ガイド板３４間の隣接間部位と、最大径の円環状ガイド板３４と第３筒胴部３１Ｂの内周面との対向面間部位と、に分散形成されている。
【００３４】
第２本体ユニット２０は、図１、図２、図５に示すように、第３本体ユニット３０の第３筒胴部３１Ｂの内周面に摺動状態で挿入自在な第２ケース２１と、第２ケース２１の屋内側の開口端部２１ａを閉止する回転操作可能な非透光性の蓋カバー２２と、を備える。図６に示すように、蓋カバー２２の内面２２ｂと第２ケース２１の開口端部２１ａとの相対向する円周方向の４箇所には、第２ケース２１に対する蓋カバー２２の回転操作で係脱される係合突起２３と被係合突起２４とが形成されている。
蓋カバー２２の屋内側となる前面２２ａの周方向の２箇所には、図４に示すように、蓋カバー２２の直径方向に沿う回転操作摘み２２Ａが一体的に突出形成されている。この一対の回転操作摘み２２Ａによる蓋カバー２２の回転操作により、蓋カバー２２の係合突起２３（図６参照）が第２ケース２１の被係合突起２４に係合する閉じ状態と、蓋カバー２２の係合突起２３が第２ケース２１の被係合突起２４から円周方向に係合離脱した開き状態と、に切り替え自在に構成されている。
【００３５】
第２ケース２１は、図１、図２、図５に示すように、第３本体ユニット３０の第３筒胴部３１Ｂの外径よりも大径に形成された短尺の大径胴部２１Ａと、第３本体ユニット３０の第３筒胴部３１Ｂに摺接状態で挿嵌される長尺の小径胴部２１Ｂと、を備える。第２ケース２１の小径胴部２１Ｂにおける先端側（屋外側）の端部には、第３ケース３１の第３通気孔３５を閉止可能な複数個の閉止体２５が同芯円状態で設けられている。詳しくは、図２に示すように、閉止体２５は、最小径の円環状ガイド板３４の内周面に摺接状態で入り込んで該部位の第３通気孔３５を閉止する中心部の円形状の閉止体２５と、径方向で隣接する両円環状ガイド板３４の対向内面に摺接状態で入り込んで該部位の第３通気孔３５を閉止する中間の円環状の閉止体２５と、最大径の円環状ガイド板３４と第３筒胴部３１Ｂの内周面との対面内面に摺接状態で入り込んで該部位の第３通気孔３５を閉止する最外側の円環状の閉止体２５と、を有する。
【００３６】
そして、第３ケース３１の円環状ガイド板３４と第２ケース２１の閉止体２５とをもって、吸気風路２を開閉する風路開閉部８が構成されている。この風路開閉部８は、図２に示すように、第３本体ユニット３０に対して第２本体ユニット２０を押し込み移動操作して、第２ケース２１の閉止体２５が第３ケース３１の円環状ガイド板３４内に入り込んだ状態が風路閉止位置になる。また、図１に示すように、第３本体ユニット３０に対して第２本体ユニット２０を引き出し移動操作して、第２ケース２１の閉止体２５が第３ケース３１の円環状ガイド板３４から抜き出された状態が風路開通位置になる。
【００３７】
第２本体ユニット２０の第２ケース２１と第３本体ユニット３０の第３ケース３１との間には、第２本体ユニット２０の蓋カバー２２の中心部に固着した押圧操作体２６（図６、図７参照）の押圧操作の繰り返しにより、第２ケース２１を風路開通位置と風路閉止位置とに交互に位置保持するロック機構（図示省略）が設けられている。
【００３８】
風路開閉部８が風路開通位置にある状態では、図１に示すように、第２本体ユニット２０の蓋カバー２２が第３カバー３２の前面板部３２Ａよりも前方側に所定寸法だけ突出する。これにより、蓋カバー２２の外周縁部２２ｄと第３カバー３２の前面板部３２Ａにおける開口３３の周縁部との間に、光触媒ユニット４０の光触媒フィルタ５を通過し、且つ、蓋カバー２２の内面２２ｂに沿って径方向外方に流動する浄化された吸気空気を屋内空間に吹き出す空気吹出口２７が形成されている。
風路開閉部８が風路開通位置にある状態では、光触媒ユニット４０の光触媒フィルタ５を通過したＬＥＤ光源７の光は、蓋カバー２２の外周縁部２２ｄと第３カバー３２の前面板部３２Ａにおける開口３３の周縁部との間において円周方向に沿って開口する空気吹出口２７から屋内側に漏洩する。図４に示すように、空気吹出口２７から屋内側に漏洩するＬＥＤ光源７の光の一部は第３カバー３２の前面板部３２Ａの表面に照射される。図４においては、漏洩光の照射領域ａをグレーで表示している。
そのため、風路開閉部８が風路開通位置にある状態で屋内側ユニットＡの屋内側部位に形成される空気吹出口２７をもって、ＬＥＤ光源７の光を屋内側に漏洩させる第１光漏洩部９Ａに構成されている。
【００３９】
図６、図７に示すように、蓋カバー２２の内面２２ｂの中心部には、光触媒ユニット４０の光触媒フィルタ５を通過した吸気空気を蓋カバー２２の内面２２ｂに沿って径方向外方に放射状に流動案内する球状ガイド面２８ａを備えた円形状の空気流ガイド部材２８がビス２９で固定されている。この空気流ガイド部材２８は、光が透過可能な透明樹脂から構成されている。空気流ガイド部材２８には、蓋カバー２２の中心部に形成された中央貫通孔２２ｃに嵌合する環状突起２８Ａが形成されている。空気流ガイド部材２８の環状突起２８Ａの屋内側の先端面２８ｂは、蓋カバー２２の屋内側となる前面２２ａと面一に構成されている。また、空気流ガイド部材２８の環状突起２８Ａに囲まれた凹部内には、非透光性の樹脂材料で製作された円板状の押圧操作体２６が固着されている。
【００４０】
図６、図７に示すように、光触媒ユニット４０の光触媒フィルタ５を通過したＬＥＤ光源７の光は、蓋カバー２２の内面２２ｂの中心部に取付けられた空気流ガイド部材２８を透過し、図４に示すように、該空気流ガイド部材２８の環状突起２８Ａの先端面２８ｂから屋内側に漏洩する。この屋内側ユニットＡの屋内側部位に配置される空気流ガイド部材２８の環状突起２８Ａをもって、ＬＥＤ光源７の光を屋内側に漏洩させる第２光漏洩部９Ｂに構成されている。
【００４１】
そして、上述の第１光漏洩部９Ａ及び第２光漏洩部９ＢがＬＥＤ光源７の漏洩光で明るくなっていることの目視により、吸気風路２内での通風で風力発電部６が正常に発電作動し、この発電状態にある風力発電部６からの給電でＬＥＤ光源７が正常に発光していることを容易に確認することができる。
【００４２】
図１、図２に示すように、第２本体ユニット２０の第２ケース２１の小径胴部２１Ｂ内には、後述する第１本体ユニット１０の第１ケース１１と光触媒ユニット４０の屋外側端部が挿入配置される。第１ケース１１が第２ケース２１の小径胴部２１Ｂ内の所定装着位置に挿入保持されたとき、第１ケース１１の屋内側端部は、光触媒ユニット４０の装着位置をユニットケース４１との当接によって確定する位置決め用の当たり部に構成されている。
【００４３】
第１本体ユニット１０は、図１、図２、図５に示すように、第２ケース２１の小径胴部２１Ｂの内周面に摺動状態で挿入自在な円筒状の第１ケース１１を備え、この第１ケース１１内に、風力発電部６のブレード６２及び発電モーター６３等が組付けられた風力発電ユニットに構成されている。第１ケース１１の内周面の屋内側寄り部位には、屋内側ほど風路径が小となるテーパー状の風路絞りガイド部１２が形成されている。この風路絞りガイド部１２により、吸気風路２の風路開閉部８を通過した吸気空気は流速を速めた状態で光触媒ユニット４０の光触媒フィルタ５の中央側に向かって流動案内される。
【００４４】
屋外側ユニットＢは、図１に示すように、雨水の浸入を防止する複数の羽板８１ａを備えたガラリ８１と、ガラリ８１の外面側の上半部を覆う状態で雨水の浸入を防止するフード８２と、を備えた周知構造の換気ユニットから構成されている。この屋外側ユニットＢは、外壁１の外面に当接した状態で吸気スリーブ４の屋外側端部に嵌合固定され取付けベース８３を備え、この取付けベース８３にガラリ８１とフード８２が支持されている。
【００４５】
〔その他の実施形態〕
（１）本発明の吸気システムが施工対象とする建物は、一般住宅、一般ビル、マンション、学校、病院、公民館、会社、工場、駅舎など、人が専ら住居し、あるいは不特定多数の人が利用する建物の全てが含まれる。
【００４６】
（２）上述の実施形態では、吸気システムの光触媒フィルタ５と光源７と風力発電部６を、この順番で吸気風路２の屋内側から屋外側に配設したが、この順番に限定されるものではない。光触媒フィルタ５と光源７と風力発電部６の配置は任意に設定することができる。
【００４７】
（３）上述の実施形態では、ＬＥＤ光源７を、光触媒フィルタ５のフィルタ面に対して斜めに配置したが、この構成に限定されるものではない。例えば、ＬＥＤ光源７を、光触媒フィルタ５のフィルタ面に対する直交方向（風路軸線方向）に沿う姿勢で配置してもよい。
【００４８】
（４）上述の実施形態では、屋外からの吸気は自然吸気で行い、屋内からの排気を換気装置で行う第３種換気が採用された建物に、本発明の吸気システムを適用したが、これに限定されるものではない。例えば、本発明の吸気システムは、屋外からの吸気と屋内からの排気との両方を換気装置で行う第１種換気が採用された建物、或いは、屋外からの吸気を換気装置で行い、屋内からの排気を自然排気で行う第２種換気が採用された建物にも適用することができる。
また、本発明の吸気システムは、２４時間換気が義務付けられていない建物にも適用することができる。
【符号の説明】
【００４９】
Ａ        屋内側ユニット
２        吸気風路
５        光触媒フィルタ
６        風力発電部
７        光源（ＬＥＤ光源）
９Ａ      光漏洩部（第１光漏洩部）
９Ｂ      光漏洩部（第２光漏洩部）
１０      第１本体ユニット
２０      第２本体ユニット
３０      第３本体ユニット
【図１】
2019173991.tif 000003
【図２】
2019173991.tif 000004
【図３】
2019173991.tif 000005
【図４】
2019173991.tif 000006
【図５】
2019173991.tif 000007
【図６】
2019173991.tif 000008
【図７】
2019173991.tif 000009